【事件の表示】
　特願２００７−３０５９２３号「洗濯乾燥機」拒絶査定不服審判事件〔平成２１年６月１１日出願公開、特開２００９−１２５４５２号〕について、次のとおり審決する。
【結　論】
　本件審判の請求は、成り立たない。
【理　由】
１．手続の経緯
　本件に係る出願（以下「本願」という。）は、平成１９年１１月２７日の出願であって、平成２２年３月１日付けで拒絶査定がなされ（発送日：同年３月９日）、これに対し、同年６月８日に審判請求がなされ、同日付けで手続補正がなされたものである。
　
第２．平成２２年６月８日付け手続補正についての補正却下の決定
［補正却下の決定の結論］  
　平成２２年６月８日付け手続補正（以下「本件補正」という。）を却下する。
　
［理由］
１．本件補正発明
　本件補正は、特許請求の範囲の請求項１について、本件補正前に「筐体内に設けられ給気口及び排気口を有する水槽と、この水槽内に設けられた回転槽と、圧縮機を弾性的に支持すると共に、この圧縮機、蒸発器及び凝縮器を一体化して構成され、前記筐体に弾性支持状態で配置固定されたヒートポンプユニットとを備え、前記凝縮器で加熱した空気を前記給気口に供給し、前記排気口から吐出させて前記蒸発器により冷却除湿し、再度前記凝縮器で加熱することを繰り返して乾燥を行うようにしたものにおいて、遮音用カバーを、前記ヒートポンプユニットの一部又は全体を覆い、且つ該ヒートポンプユニットと非接触形態に、前記筐体に取付けたことを特徴とする洗濯乾燥機。」とあったものを「筐体内に設けられ給気口及び排気口を有する水槽と、この水槽内に設けられた回転槽と、圧縮機を弾性的に支持すると共に、この圧縮機、蒸発器及び凝縮器を一体化して構成され、前記筐体に弾性支持状態で配置固定されたヒートポンプユニットとを備え、前記凝縮器で加熱した空気を前記給気口に供給し、前記排気口から吐出させて前記蒸発器により冷却除湿し、再度前記凝縮器で加熱することを繰り返して乾燥を行うようにしたものにおいて、遮音用カバーを、前記ヒートポンプユニットの
前記圧縮機を含む
前記ヒートポンプユニット
に対して
　上記補正について検討する。
　本件補正後の特許請求の範囲の請求項１に記載された発明は、本件補正前の特許請求の範囲の請求項１の遮音用カバーについて、本件補正前に「前記ヒートポンプユニットの一部又は全体を覆い、且つ該ヒートポンプユニットと非接触形態に、前記筐体に取付けた」とあったものを「前記ヒートポンプユニットの
前記圧縮機を含む
前記ヒートポンプユニット
に対して
　そこで、本件補正後の特許請求の範囲の請求項１に記載された発明（以下「本件補正発明」という。）が特許出願の際独立して特許を受けることができるものであるか（特許法第１７条の２第６項において準用する同法第１２６条第５項の規定に適合するか）否かについて検討する。 
　
２．刊行物に記載された発明
　原査定の拒絶理由において提示された、本願の出願前に頒布された刊行物である特開２００７−２９３５９号公報（以下「刊行物」という。）には、図面と共に次の事項が記載されている。
a)「【技術分野】
　本発明は、洗濯物の乾燥用にヒートポンプを具えたドラム式洗濯乾燥機に関する。」（段落【0001】）
b)「【発明が解決しようとする課題】
　上記従来のものの場合、水槽内の空気を循環させるときの経路が複雑であり、特に水槽から通風路にかけての曲がりが大きくて風路抵抗が高く、その分、循環風量が少なくしか得られずして、ヒートポンプのエバポレータ及びコンデンサでの熱交換効率が悪く、乾燥性能が高く得られないという欠点を有していた。又、水槽に対して通風路並びにヒートポンプのコンプレッサを配置するのに、広いスペースが必要であり、全体の大形化、大重量化を招来するという欠点をも有していた。
　本発明は上述の事情に鑑みてなされたものであり、従ってその目的は、乾燥性能が高く得られると共に、全体のコンパクト化、軽量化ができるドラム式洗濯乾燥機を提供するにある。」（段落【0006】〜【0007】）
c)「【発明を実施するための最良の形態】
　以下、本発明の一実施例（一実施形態）につき、図面を参照して説明する。
　まず、図２には、ドラム式洗濯乾燥機の全体構成を示しており、外殻である
外箱１の内部に水槽２を配設している
　
水槽２には
温風出口９を形成し
温風入口１０を形成している
　
水槽２の内部には、ドラム１３を配設している
d)「 以上に対して、前記外箱１の底部は、台板３０で構成している。この台板３０上には、図３に示すように、複数個の防振ゴム３１を介して通風ダクト３２を載置し、その各防振ゴム３１を貫通した複数個のボルト３３と、このボルト３３の各突出先端部に螺合した複数個のナット３４により、通風ダクト３２を台板３０に固定しており、このようにして、通風ダクト３２を、図２に示すように、前記水槽２のほゞ直下に、水槽２の軸方向と並列に配置している。
　通風ダクト３２は、詳細には図４に示すように、底板３５と、この底板３５上に立設した左右両方の側壁３６，３７、これら両側壁３６，３７並びに底板３５の前端部に装着した前壁３８、両側壁３６，３７並びに底板３５の後端部に装着した後壁３９、これら前壁３８、後壁３９、及び両側壁３６，３７の上端部に装着した上カバー４０により、ほゞ四角筒状の風路を囲い形成するようにしたものである。
　この
通風ダクト３２には
エバポレータ
４１と、コンデンサ
４２とを配置している
e)「ここで、
通風ダクト３２の底板３５は
コンプレッサ配置部５２を延出させて有し
コンプレッサ配置部５２上に
コンプレッサ
５３を配置する
　又、この場合、コンプレッサ５３は、詳細には図５に示すように、通風ダクト３２の底面である上記底板３５（コンプレッサ配置部５２）上に、鋼板など金属製の補強板５４を介して配置している。なお、通風ダクト３２の底板３５はプラスチック製である。又、図５及び図１、図２には、
コンプレッサ５３を
防音用のカバー５５を取除いて示している
　上記
コンプレッサ５３は、前記エバポレータ４１及びコンデンサ４２と共に図６に示すヒートポンプ
５７を構成する
f)「これらにより、前記水槽２内から
通風ダクト３２内に流入した空気は、エバポレータ４１で冷却されて除湿され
コンデンサ４２で加熱されて温風化される
その温風が
温風入口１０から水槽２内に戻し供給される
　ドラム１３内に戻し供給された
温風は
温風出口９から
通風ダクト３２内に流入する
  かくして、エバポレータ４１とコンデンサ４２を有する
通風ダクト３２とドラム１３との間を空気が循環することにより、ドラム１３内の洗濯物が乾燥される
　そして、この
乾燥行程
g)「そのほか、
通風ダクト３２及びコンプレッサ５３を、外箱１の底部を構成する台板３０上に防振ゴム３１を介して配置し
コンプレッサ５３から外箱１への振動の伝達も防振ゴム３１で阻止できて、外箱１の振動及び振動音を少なくすることができる
h)上記eの記載事項及び【図7】の図示内容によると、
コンプレッサ５３は、防音用のカバー５５で覆われている
　
　上記a〜gの記載事項、上記hの認定事項、及び、図面の図示内容を総合勘案すると、刊行物には、次の発明が記載されていると認められる。
「外箱１の内部に配設され、温風入口１０と温風出口９とが形成されている水槽２と、
　水槽２の内部に配設されたドラム１３とを備え、
　通風ダクト３２には、エバポレータ４１と、コンデンサ４２とを配置し、　通風ダクト３２の底板３５から延出されたコンプレッサ配置部５２にコンプレッサ５３を配置し、通風ダクト３２及びコンプレッサ５３を、外箱１の底部を構成する台板３０上に防振ゴム３１を介して配置し、コンプレッサ５３は、エバポレータ４１及びコンデンサ４２と共にヒートポンプ５７を構成し、
　コンデンサ４２で加熱されて温風化される温風が温風入口１０から水槽２内に戻し供給され、温風出口９から通風ダクト３２内に流入する温風は、エバポレータ４１で冷却されて除湿され、通風ダクト３２とドラム１３との間を空気が循環することにより、ドラム１３内の洗濯物が乾燥される乾燥工程が実行され、
　ヒートポンプ５７のコンプレッサ５３を防音用のカバー５５で覆い、コンプレッサ５３から外箱１への振動の伝達も防振ゴム３１で阻止できて、外箱１の振動及び振動音を少なくすることができるドラム式洗濯乾燥機。」
　
３．対比
　本件補正発明と刊行物に記載された発明とを対比する。
　刊行物に記載された発明の「外箱１の内部に配設され、温風入口１０と温風出口９とが形成されている水槽２」は、その構成及び機能からみて、本件補正発明の「筐体内に設けられ給気口及び排気口を有する水槽」に相当し、以下同様に、
　「水槽２の内部に配設されたドラム１３」は「水槽内に設けられた回転槽」に、
　「コンデンサ４２で加熱されて温風化される温風が温風入口１０から水槽２内に戻し供給され」ることは「凝縮器で加熱した空気を給気口に供給」することに、
　「温風出口９から通風ダクト３２内に流入する温風は、エバポレータ４１で冷却されて除湿され」ることは「排気口から吐出させて蒸発器により冷却除湿」することに、
　「通風ダクト３２とドラム１３との間を空気が循環することにより、ドラム１３内の洗濯物が乾燥される乾燥工程が実行され」ることは、通風ダクト３２には、エバポレータ４１とコンデンサ４２とが配置されていることから、
「再度凝縮器で加熱することを繰り返して乾燥を行うようにした」ことに、
　「ドラム式洗濯乾燥機」は「洗濯乾燥機」に、
それぞれ相当する。
　そして、刊行物に記載された発明の「通風ダクト３２の底板３５から延出されたコンプレッサ配置部５２にコンプレッサ５３を配置し、通風ダクト３２及びコンプレッサ５３を、外箱１の底部を構成する台板３０上に防振ゴム３１を介して配置し、コンプレッサ５３は、エバポレータ４１及びコンデンサ４２と共にヒートポンプ５７を構成」すること本件補正発明の「圧縮機を弾性的に支持すると共に、この圧縮機、蒸発器及び凝縮器を一体化して構成され、筐体に弾性支持状態で配置固定されたヒートポンプユニットを備える」こととは、「圧縮機、蒸発器及び凝縮器を一体化して構成され、筐体に弾性支持状態で配置固定されたヒートポンプユニットを備え、圧縮機は弾性的に支持され」ることで共通し、同様に、
「ヒートポンプ５７のコンプレッサ５３を防音用のカバー５５で覆う」ことと「ヒートポンプユニットの圧縮機を含む一部又はヒートポンプユニット全体を覆い、且つ該ヒートポンプユニットに対して非接触形態に、筐体に取付けたこと」とは、前者において、防音用のカバー５５は何らかの手段により取り付けられていることは明らかであるから、両者は、「ヒートポンプユニットの圧縮機を含む一部を覆うように取付けられたこと」である点で共通する。
　
　したがって、両者の一致点および相違点は、次のとおりである。
［一致点］
「筐体内に設けられ給気口及び排気口を有する水槽と、この水槽内に設けられた回転槽と、圧縮機、蒸発器及び凝縮器を一体化して構成され、前記筐体に弾性支持状態で配置固定されたヒートポンプユニットとを備え、
　前記圧縮機は弾性的に支持され、前記凝縮器で加熱した空気を前記給気口に供給し、前記排気口から吐出させて前記蒸発器により冷却除湿し、再度前記凝縮器で加熱することを繰り返して乾燥を行うようにしたものにおいて、　遮音用カバーを、前記ヒートポンプユニットの前記圧縮機を含む一部を覆うように取付けられた洗濯乾燥機。」
　
［相違点１］
　圧縮機の弾性的な支持が、本件補正発明では、ヒートポンプニットに弾性的に支持されるのに対して、刊行物に記載された発明では、コンプレッサ５３を、外箱１の底部を構成する台板３０上に防振ゴム３１を介して配置する点。
　
［相違点２］
　遮音用カバーの取付けが、本件補正発明では、ヒートポンプユニットに対して非接触形態に、筐体に取付けたのに対して、刊行物に記載された発明では、防音用のカバーをどのように取付けたのか不明である点。
　
４．当審の判断
　上記相違点１及び２について検討する。
　圧縮機を含むヒートポンプユニットを具備する装置の技術分野において、圧縮機を含むヒートポンプユニットを筐体に弾性支持することに加えて、圧縮機をヒートポンプユニットに弾性的に支持することは、本願出願前に周知の技術事項である（例えば、特開２００５−２４１１９７号公報の防振材1、2（特に段落【0012】、【図4】）や、実願昭５８−８７６２号（実開昭５９−１１５２３０号）のマイクロフィルムの防振部材3、5（特に、第2ページ下から第4行〜第3ページ第2行、図面）を参照。）。
　そして、同じく、圧縮機を含むヒートポンプユニットを具備する装置の技術分野において、遮音用カバーをヒートポンプユニットに対して非接触形態に、筐体に取付けることは、本願出願前に周知の技術事項である（例えば、実願平２−２７８１７号（実開平３−１１８４４５号）のマイクロフィルムの遮音カバー4を室外機本体1に固定すること（第1図）や、特開２００４−１４３９７５号公報の防音材7、8が、圧縮機1及びアキュムレータ3に接触しないように支持部材9により、ベース2上に配置されること（特に段落【0014】、【図1】）を参照。）。
　さらに、同じく、圧縮機を含むヒートポンプユニットを具備する装置の技術分野において、圧縮機を弾性的に支持することに加えて、遮音用カバーを圧縮機を含むヒートポンプユニットに対して非接触形態に、筐体に取付けることの２つの防音対策を同時に行うことは、本願出願前に周知の技術事項である（例えば、特開平１１−１４１０２号公報の圧縮機10を防振部材11で支持することに加えて、筒状防音蓋12を底板7上に嵌め込むこと（特に段落【0019】、【図2】）や、特開平２−９７８３３号公報の防音効果のために、圧縮機14を弾性的に取り付けることに加えて、防音カバー19を圧縮機14を覆った状態で底板に締結したこと（特に第5図）を参照。）。
　そして、上記圧縮機を含むヒートポンプユニットを具備する装置の技術分野に属する防音のための上記周知の技術事項を、同じく、ヒートポンプユニットを具備する技術分野に属する刊行物に記載されたドラム式洗濯乾燥機のコンプレッサ５３による外箱１の振動音を少なくするための発明に適用して、コンプレッサ５３を外箱１の底部を構成する台板３０上に防振ゴム３１を介して配置することに換えて、コンプレッサ５３をヒートポンプ５７に弾性的に支持させるとともに、コンプレッサ５３を覆う防音用のカバー５５の取付けをヒートポンプ５７に対して非接触形態に外箱１に取付けて行うことの２つの防音対策を同時に講じることは、当業者が容易になし得たものである。
　また、本件補正発明の奏する効果は、刊行物に記載された発明及び周知の技術事項から当業者が予測できた効果の範囲内のものである。
　したがって、本件補正発明は、刊行物に記載された発明及び周知の技術事項に基づいて当業者が容易に想到し得たものである。
　ゆえに、本件補正発明は、刊行物に記載された発明及び周知の技術事項に基いて当業者が容易に発明をすることができたものであるから、特許法第２９条第２項の規定により、特許出願の際独立して特許を受けることができないものである。
　
５．まとめ
　以上のとおりであるから、本件補正は、特許法第１７条の２第６項において準用する同法第１２６条第５項の規定に違反するので、同法第１５９条第１項において読み替えて準用する同法第５３条第１項の規定により却下すべきものである。
 　  
第３．本願発明について
１．本願発明
　平成２２年６月８日付け手続補正は上記のとおり却下されたので、本願の請求項１に係る発明（以下「本願発明」という。）は、平成２１年１１月１３日付け手続補正書の特許請求の範囲の請求項１に記載された事項によ
り特定される次のとおりのものである。
「筐体内に設けられ給気口及び排気口を有する水槽と、この水槽内に設けられた回転槽と、圧縮機を弾性的に支持すると共に、この圧縮機、蒸発器及び凝縮器を一体化して構成され、前記筐体に弾性支持状態で配置固定されたヒートポンプユニットとを備え、前記凝縮器で加熱した空気を前記給気口に供給し、前記排気口から吐出させて前記蒸発器により冷却除湿し、再度前記凝縮器で加熱することを繰り返して乾燥を行うようにしたものにおいて、遮音用カバーを、前記ヒートポンプユニットの一部又は全体を覆い、且つ該ヒートポンプユニットと非接触形態に、前記筐体に取付けたことを特徴とする洗濯乾燥機。」
　
２．刊行物に記載された発明
　原査定の拒絶の理由に引用した刊行物、刊行物の記載事項及び刊行物に記載された発明は、前記「第２．［理由］２．刊行物に記載された発明」に記載したとおりである。
　
３．対比および判断
　本願発明は、前記「第２．［理由］」において検討した本件補正発明における遮音用カバーについて、「前記ヒートポンプユニットの
前記圧縮機を含む
前記ヒートポンプユニット
に対して
　そうすると、実質的に本願発明の発明特定事項をすべて含み、さらに、他の発明特定事項を付加したものに相当する本件補正発明が、前記「第２．［理由］３．対比および４．当審の判断」に記載したとおり、刊行物に記載された発明及び周知の技術事項に基いて当業者が容易に発明をすることができたものであるから、本願発明も同様に、刊行物に記載された発明及び周知の技術事項に基いて当業者が容易に発明をすることができたものである。  
 　  
４．むすび  
　以上のとおりであるから、本願発明は、刊行物に記載された発明及び周知の技術事項に基いて当業者が容易に発明をすることができたものであり、特許法第２９条第２項の規定により特許を受けることができない。  
　したがって、本願のその他の請求項に係る発明について検討するまでもなく、本願は拒絶すべきものである。
　よって、結論のとおり審決する。